(57)【要約】【課題】マウント形態やフランジバックの異なる交換用レンズをカメラボディに装着した際に、交換用レンズとカメラボディとのフランジバックの差を自動的に調整することができる中間アダプタを提案する。【解決手段】中間アダプタ１は、第１の機械的フランジバックを有する交換用レンズ２を装着する前マウント面と、第２の機械的フランジバックを有するカメラボディ３を装着する後マウント面と、光路長を変更できる光路長可変部材１７を備える。光路長可変部材１７の光路長は、第１の機械的フランジバックと、第２の機械的フランジバックと、前マウント面から後マウント面までの光軸方向のマウント間距離とに基づいて算出される。そして、中間アダプタ１は、光路長可変部材１７の光路長が算出された光路長値になるように制御する。【選択図】図３
2012155026.tif 000002
【特許請求の範囲】
【請求項１】
第１のフランジバックを有する交換用レンズを装着する第１のマウント面と、
第２のフランジバックを有するカメラボディを装着する第２のマウント面と、
光路長を変更できる光路長可変部材と、
前記第１のフランジバックと、前記第２のフランジバックと、前記第１のマウント面から前記第２のマウント面までの光軸方向の距離とに基づいて、前記光路長可変部材の光路長を制御する制御手段と、
を備えることを特徴とする中間アダプタ。
【請求項２】
請求項１に記載の中間アダプタにおいて、
前記第１のマウント面から前記交換用レンズが取り外されたことを検出するレンズ取外検出手段と、
前記第２のマウント面から前記カメラボディが取り外されたことを検出するボディ取外検出手段とをさらに備え、
前記制御手段は、前記レンズ取外検出手段が前記交換用レンズの取り外しを検出したとき、または前記ボディ取外検出手段が前記カメラボディの取り外しを検出したときに、前記光路長可変部材の光路長が予め定められた基準値に初期化されるように制御することを特徴とする中間アダプタ。
【請求項３】
請求項１または２に記載の中間アダプタにおいて、
前記光路長可変部材は、複数のくさび形のプリズムを組み合わせたものであって、
前記制御手段は、前記複数のくさび形のプリズムを、光軸に対して垂直な方向に駆動させることによって前記光路長可変部材の光路長を制御することを特徴とする中間アダプタ。
【請求項４】
第１のフランジバックを有する交換用レンズと、
第２のフランジバックを有するカメラボディと、
前記交換用レンズを装着する第１のマウント面と、前記カメラボディを装着する第２のマウント面とを備え、前記交換用レンズと前記カメラボディとの間に装着される中間アダプタとからなるカメラシステムにおいて、
前記中間アダプタは、光路長が可変な光路長可変部材を有し、
前記中間アダプタは、前記光路長可変部材の光路長を制御する制御手段を備え、
前記カメラシステムは、前記第１のフランジバックに関する情報と、前記第２のフランジバックに関する情報と、前記第１のマウント面から前記第２のマウント面までの光軸方向の距離に関する情報とに基づいて、前記光路長可変部材の光路長に関する光路長値を算出する光路長値算出手段を備え、
前記制御手段は、前記光路長値算出手段が算出した前記光路長値に基づいて、前記光路長可変部材の光路長を制御することを特徴とするカメラシステム。
【発明の詳細な説明】
【技術分野】
【０００１】
本発明は、マウント形態やフランジバックの異なる交換用レンズをカメラボディに装着するための中間アダプタと、その中間アダプタと交換用レンズとカメラボディとからなるカメラシステムに関する。
【背景技術】
【０００２】
中間アダプタを介してマウント形態やフランジバックが異なる交換用レンズをカメラボディに装着したときに、撮像素子を光軸方向に移動させて交換用レンズとカメラボディのフランジバックを調整するカメラシステムが知られている（特許文献１）。
【先行技術文献】
【特許文献】
【０００３】
【特許文献１】特開２００８−１１８１９９号公報
【発明の概要】
【発明が解決しようとする課題】
【０００４】
しかし、撮像素子は結像面に精度よく配置する必要があり、撮像素子を移動させる機構の物理的な駆動力やカメラボディに加えられる振動によって撮像素子受光面と結像面が一致しなくなるおそれがあった。
【０００５】
そのため、撮像素子以外のものによってフランジバックを調整することが望まれている。本発明は、交換用レンズをカメラボディに装着する中間アダプタ含むカメラシステムにおいてフランジバックを自動的に調整することができる中間アダプタを提案することにある。
【課題を解決するための手段】
【０００６】
本発明の第一の態様における中間アダプタは、第１のフランジバックを有する交換用レンズを装着する第１のマウント面と、第２のフランジバックを有するカメラボディを装着する第２のマウント面と、その厚さを変更することによって光路長を変更できる光路長可変部材と、第１のフランジバックと、第２のフランジバックと、第１のマウント面から第２のマウント面までの光軸方向の距離とに基づいて、光路長可変部材の光路長を制御する制御手段と、を備える。
また、本発明の別の一態様であるカメラシステムは、第１のフランジバックを有する交換用レンズと、第２のフランジバックを有するカメラボディと、交換用レンズを装着する第１のマウント面と、カメラボディを装着する第２のマウント面とを備え、交換用レンズとカメラボディとの間に装着される中間アダプタとからなるカメラシステムにおいて、中間アダプタは、その厚さを変更することによって光路長が可変な光路長可変部材を有し、中間アダプタは、光路長可変部材の光路長を制御する制御手段を備え、カメラシステムは、第１のフランジバックに関する情報と、第２のフランジバックに関する情報と、第１のマウント面から第２のマウント面までの光軸方向の距離に関する情報とに基づいて、光路長可変部材の光路長に関する光路長値を算出する光路長値算出手段を備え、制御手段は、光路長値演算手段が算出した光路長値に基づいて、光路長可変部材の光路長を制御する。
【発明の効果】
【０００７】
本発明は、マウント形態やフランジバックの異なる交換用レンズをカメラボディに装着した際に、交換レンズとカメラボディとのフランジバックの差を自動的に調整することができる。
【図面の簡単な説明】
【０００８】
【図１】フランジバックと焦点位置との関係を示す図である。
【図２】本発明の一実施形態における中間アダプタを備えるカメラシステムのブロック構成図である。
【図３】本発明の一実施形態におけるカメラシステムのシステムブロック図である。
【図４】本発明の一実施形態における中間アダプタが内部に備える光路長可変部材の一実施例を示す。
【図５】図４の光路長可変部材を内部に備える中間アダプタの側面図である。
【図６】本発明の一実施の形態におけるカメラシステムにおいて光路長可変部材の光路長を調整する処理のフローチャートの一例である。
【発明を実施するための形態】
【０００９】
図１は、クイックリターンミラーを備える一眼レフデジタルカメラと、クイックリターンミラーを備えていないミラーレスデジタルカメラを表す模式図である。
【００１０】
図１（ａ）に示す一眼レフデジタルカメラ１０００は、カメラボディ１００３と交換用レンズ１００２とを備える。カメラボディ１００３は、クイックリターンミラー１０１０と撮像素子１０３０を備え、フランジバックＦＢａを有している。
【００１１】
図１（ｂ）に示すミラーレスデジタルカメラ２０００は、カメラボディ２００３を備える。図１（ｂ）は、ミラーレスデジタルカメラ２０００のカメラボディ２００３に一眼レフデジタルカメラ１０００の交換用レンズ１００２を装着している。
【００１２】
ミラーレスデジタルカメラ２０００のカメラボディ２００３は、撮像素子２０３０を備え、フランジバックＦＢｂを有している。
【００１３】
フランジバックＦＢａは、一眼レフデジタルカメラ１０００のカメラボディ１００３がクイックリターンミラー１０１０を備えているため、ミラーレスデジタルカメラ２０００のカメラボディ２００３のフランジバックＦＢｂよりも相対的に長い。
【００１４】
交換用レンズ１００２は、一眼レフデジタルカメラ１０００のために設計されている。そのため、交換用レンズ１００２のフランジバックは一眼レフデジタルカメラ１０００のカメラボディ１００３のフランジバックＦＢａと同一に定められている。
【００１５】
ミラーレスカメラ２０００のフランジバックＦＢｂは、交換用レンズ１０２０のフランジバックＦＢａよりも短い。そのため、図１（ｂ）に示すようにその焦点位置が撮像素子２０３０の受光面から外れてしまう。
【００１６】
このような焦点位置のずれを補正するため、中間アダプタが利用される。
【００１７】
なお、一眼レフデジタルカメラ同士であっても、メーカや製品シリーズなどの違いにより、各カメラボディ内に備えられている光学部材が異なり、その光学的フランジバック（空気換算長）が異なる。カメラボディ内に備えられている光学部材とは、たとえば防塵ガラスや、光学ローパスフィルタ、赤外線吸収ガラス、撮像素子の保護ガラスなどである。
【００１８】
光学的フランジバックとは、レンズマウント面から撮像素子面までの光路長をいう。以下、フランジバックを機械的な長さを表す「機械的フランジバック」と光路長を表す「光学的フランジバック」とを区別して説明に用いる。
【００１９】
ミラーレスデジタルカメラ同士の場合も同様にメーカや製品シリーズなどの違いにより、その光学的フランジバック（空気換算長）が異なる。交換用レンズを用いる他のデジタルカメラにおいても同様である。
【００２０】
また、フィルムカメラのカメラボディでは、デジタルカメラのカメラボディよりも光学部材が少ない。そのため、フィルムカメラ用の交換用レンズをこの交換用レンズと同じ機械的フランジバックを有するデジタルカメラのカメラボディに装着した場合も、同様の理由により焦点位置が撮像素子の受光面からずれてしまう。
【００２１】
本発明の一態様であるカメラシステムは、中間アダプタを含むものである。本発明の一態様であるカメラシステムについて、図面を用いて説明する。
【００２２】
図２は、本発明の一態様であるカメラシステムの一構成例を示すブロック図である。図２に例示されるカメラシステム１００は、中間アダプタ１と、交換用レンズ２と、カメラボディ３とを備える。
【００２３】
中間アダプタ１は、交換用レンズ２とカメラボディ３との間に挿入される。交換用レンズ２は、中間アダプタ１を介してカメラボディ３に装着される。
【００２４】
交換用レンズ２は、レンズＣＰＵなどを備えている。交換用レンズ２は、中間アダプタ１の前マウント面１１に装着される。中間アダプタ１の前マウント面１１のマウント形態は、交換用レンズ２のマウント形態と一致している。
【００２５】
カメラボディ３は、ボディＣＰＵや撮像素子３０などを備えている。カメラボディ３は、中間アダプタ１の後マウント面１２に装着される。中間アダプタ１の後マウント面１２のマウント形態は、カメラボディ３のマウント形態と一致している。
【００２６】
交換用レンズ２は、機械的フランジバックＦＢ１を有する。カメラボディ３は、機械的フランジバックＦＢ２を有する。機械的フランジバックＦＢ１は機械的フランジバックＦＢ２より長いものとする。
【００２７】
また、中間アダプタ１の前マウント面１１と後マウント面１２との間のマウント間距離ＭＬは、交換用レンズ２の機械的フランジバックＦＢ１とカメラボディ３の機械的フランジバックＦＢ２との差未満であるものとする。
【００２８】
図３は、カメラシステム１００のシステムブロック図である。図３に示すシステムブロック図は一例であり、シャッターや撮像素子など一部の構成が省略されている。
【００２９】
交換用レンズ２は、レンズＣＰＵ２１とレンズメモリ２２を備える。交換用レンズ２は、それに装着されたカメラボディ３や中間アダプタ１との間で通信を行うための電気的な接点２３を有する。
【００３０】
レンズＣＰＵ２１は、交換用レンズ２の各部位を制御して、交換用レンズ２の各種機能を実行する。たとえば、レンズＣＰＵ２１は、電気的な接点２３を介した通信を制御することができる。
【００３１】
レンズメモリ２２は、機械的フランジバックＦＢ１などの交換用レンズ２に関する情報を記憶する記憶媒体である。レンズメモリ２２に記憶されている情報は、レンズＣＰＵ２１の制御によって読み取られる。
【００３２】
カメラボディ３は、ボディＣＰＵ３１と、ボディメモリ３２とを備える。カメラボディ３は、それに装着された交換用レンズ２や中間アダプタ１との間で通信を行うための電気的な接点３３を有する。
【００３３】
ボディＣＰＵ３１は、カメラボディ３の各部位を制御して、カメラボディ３の各種機能や演算を実行する。たとえば、ボディＣＰＵ３１は、電気的な接点３３を介した通信を制御することができる。
【００３４】
ボディメモリ３２は、機械的フランジバックＦＢ２などのカメラボディ３に関する情報を記憶する記憶媒体である。ボディメモリ３２に記憶されている情報は、ボディＣＰＵ３１の制御によって読み取られる。
【００３５】
中間アダプタ１は、アダプタＣＰＵ１３と、アダプタメモリ１４と、交換用レンズ取外検出部１５ａと、カメラボディ取外検出部１５ｂと、駆動部１６と、光路長可変部材１７と、を備える。
【００３６】
中間アダプタ１は、交換用レンズ２と通信を行うための電気的な接点１８ａを有する。中間アダプタ１の電気的な接点１８ａは、交換用レンズ２の電気的な接点２３と接続されることにより通信可能となる。
【００３７】
また、中間アダプタ１は、カメラボディ３と通信を行うための電気的な接点１８ｂを有する。中間アダプタ１の電気的な接点１８ｂは、カメラボディ３の電気的な接点３３と接続されることにより通信可能となる。
【００３８】
アダプタＣＰＵ１３は、中間アダプタ１の各部位を制御して、中間アダプタ１の各種機能や演算を実行する。
【００３９】
アダプタＣＰＵ１３は、電気的な接点１８ａを介した交換用レンズ２との通信を制御する。また、アダプタＣＰＵ１３は、電気的な接点１８ｂを介したカメラボディ３との通信を制御する。
【００４０】
光路長可変部材１７は、光路長を変更可能な光学部材である。光路長可変部材１７の詳細については、後述する。
【００４１】
駆動部１６は、たとえば電磁モータであって、アダプタＣＰＵ１３の制御によって光路長可変部材１７に光路長を変更するための動力を提供する。
【００４２】
交換用レンズ取外検出部１５ａは、各種スイッチなどによって実装され、交換用レンズ２が中間アダプタ１の前マウント面１１から取り外されたことを検出する。交換用レンズ取外検出部１５ａは、交換用レンズ２の着脱に関する情報を中間アダプタ１へ送信することができる。
【００４３】
カメラボディ取外検出部１５ｂは、各種スイッチなどによって実装され、カメラボディ３が中間アダプタ１の後マウント面１２から取り外されたことを検出する。カメラボディ取外検出部１５ｂは、カメラボディ３の着脱に関する情報を中間アダプタ１へ送信することができる。
【００４４】
アダプタメモリ１４は、中間アダプタ１のマウント間距離ＭＬなどの情報を記憶する記憶媒体である。アダプタメモリ１４に記憶された情報は、アダプタＣＰＵ１３の制御によって読み取られる。
【００４５】
図４は、光路長可変部材１７の一例を示す図である。図４（ａ）に示す光路長可変部材１７は、二つのくさび形のプリズム１７１およびプリズム１７２を有する。プリズム１７１とプリズム１７２とは、斜面１７３で面接触している。
【００４６】
プリズム１７１とプリズム１７２は、斜面１７３で接した状態を保ったまま、光軸１７４に対して垂直な方向軸１７５に沿って互いの相対的な位置を移動可能である（図４（ｂ）および（ｃ））。
【００４７】
光路長可変部材１７の光路長は、入射面１７６と出射面１７７との間の距離に基づく。光軸１７４に対して垂直な方向軸１７５に沿って、プリズム１７１とプリズム１７２の間の相対的な距離が移動すると、入射面１７６と出射面１７７との間の距離が変化する。
【００４８】
プリズム１７１とプリズム１７２の位置関係が図４（ａ）のとき、入射面１７６と出射面１７７との間の距離をｔ１とする。このとき、プリズム１７１の屈折率をｎとすると、その光路長はｎｔ１となっている。
【００４９】
図４（ａ）の状態からプリズム１７２がプリズム１７１と斜面１７３で接した状態で方向軸１７５の下方向に距離ｈ２だけ移動すると、図４（ｂ）の状態となる。このときの入射面１７６と出射面１７７との間の距離をｔ２とし、斜面１７３と入射面１７６との間の角度、および斜面１７３と出射面１７７との間の角度をｘとすると、距離ｔ２はｔ２＝ｔ１＋ｈ２・ｔａｎｘ＞ｔ１となる。
【００５０】
図４（ａ）の状態からプリズム１７２がプリズム１７１と斜面１７３で接した状態で方向軸１７５の上方向に距離ｈ３だけ移動すると、図４（ｃ）の状態となる。このときの入射面１７６と出射面１７７との間の距離をｔ３とすると、距離ｔ３＝ｔ１−ｈ３・ｔａｎｘ＜ｔ１となる。
【００５１】
図５は、このような光路長可変部材１７を搭載した中間アダプタ１の簡易的な側面図である。図５に示す中間アダプタ１には、プリズム４１と、プリズム４２と、複数のコイルばね４３と、前マウント面１１と、後マウント面１２と、駆動部１６とが備わっている。図５では、アダプタＣＰＵ１３や、アダプタメモリ１４、交換用レンズ取外検出部１５ａ、カメラボディ取外検出部１５ｂなど、一部の部位を省略して図示している。
【００５２】
プリズム４１は、図４のプリズム１７１に相当する。プリズム４１は、光軸方向１７４にのみ移動可能な様に支持されている。そして複数のコイルばね４３により、プリズム４２に押し付けられており、光軸方向１７４に移動することによりプリズム４２との面接触を維持している。
【００５３】
プリズム４２は、図４のプリズム１７２に相当する。プリズム４２は、駆動部１６により光軸に対して垂直な方向に移動する。
【００５４】
駆動部１６は、図５には図示していないアダプタＣＰＵ１３の制御によりプリズム４２を移動させる。アダプタＣＰＵ１３は、予め算出された光路長可変部材１７の光路長になるように駆動部１６に動作を指示する。
【００５５】
たとえば、図４で示した光路長ｎｔ１をｎｔ２にする場合は、駆動部１６（電磁モータ）のシャフト１６１をｈ２（図４（ｂ））だけ伸長させる。このようにすることによって、入射面１７６と出射面１７７との間の距離ｔ１がｈ２・ｔａｎｘだけ増加してｔ２となる。
【００５６】
光路長可変部材１７の光路長を算出する方法について説明する。本実施の形態におけるカメラシステム１００では、ボディＣＰＵ３１が、光路長可変部材１７の光路長を算出する。
【００５７】
まず、レンズＣＰＵ２１から交換用レンズ２の機械的フランジバックＦＢ１に関する情報が中間アダプタ１へ送信される。以降、この交換用レンズ２の機械的フランジバックＦＢ１に関する情報を第１フランジバック情報と称する。前述したとおり、機械的フランジバックＦＢ１は、レンズメモリ２２に記憶されている。
【００５８】
アダプタＣＰＵ１３は、レンズＣＰＵ２１が送信する第１フランジバック情報を受信する。そして、アダプタＣＰＵ１３は、受信した第１フランジバック情報と、前マウント面１１と後マウント面１２との間のマウント間距離ＭＬに関する距離情報とをボディＣＰＵ３１へ送信する。以降、前マウント面１１と後マウント面１２との間のマウント間距離ＭＬの距離情報のことをマウント間距離情報と称する。前述したとおり、マウント間距離ＭＬは、アダプタメモリ１４に記憶されている。
【００５９】
ボディＣＰＵ３１は、アダプタＣＰＵ１３が送信した第１フランジバック情報とマウント間距離情報とを受信する。ボディＣＰＵ３１は、それを備えるカメラボディ３の機械的フランジバックＦＢ２に関する情報（以降、第２フランジバック情報と称する）と、受信した第１フランジバック情報およびマウント間距離情報に基づいて、光路長可変部材１７の光路長を次のように算出する。
【００６０】
まず、ボディＣＰＵ３１は、第１フランジバック情報に含まれる機械的フランジバックＦＢ１と、カメラボディ３の機械的フランジバックＦＢ２との差を算出する。なお、機械的フランジバックＦＢ２は、前述したとおりボディメモリ３２に記憶されている。
【００６１】
そして、算出された機械的フランジバックＦＢ１と機械的フランジバックＦＢ２の差からマウント間距離ＭＬを減ずることによって、光路長可変部材１７により増加させる光路長ｄＴを算出する。なお、光路長可変部材１７により増加させる光路長ｄＴを算出する際、カメラボディ３の内部に不図示の光学部材が有る場合は、その影響についても考慮する。不図示の光学部材のための光路長の補正値は、予めボディメモリ３２に記憶される。
【００６２】
ボディＣＰＵ３１は、光路長可変部材１７により増加させる光路長ｄＴと、光路長可変部材１７を構成するプリズム４１およびプリズム４２の屈折率ｎとに基づいて、光路長可変部材１７の必要となる厚さＴを、Ｔ＝ｄＴ・ｎ／（ｎ−１）という式に従って算出する。屈折率ｎは、プリズム４１やプリズム４２に一般的に用いられる素材の屈折率をボディメモリ３２に記憶しておけばよい。またカメラボディ３の内部に光学部材がある場合はその影響を上記Ｔから補正すればよい。
【００６３】
このようにして、光路長可変部材１７の厚さＴは算出できる。ボディＣＰＵ３１は、算出した光路長可変部材１７の厚さの値（Ｔ）をアダプタＣＰＵ１３に送信する。
【００６４】
アダプタＣＰＵ１３は、ボディＣＰＵ３１が送信した光路長可変部材１７の厚さの値を受信する。そして、受信した厚さの値に基づいて、駆動部１６を介してプリズム４２を移動させる距離を算出する。たとえば、光路長可変部材１７の初期状態の厚さがｔ１である場合、（Ｔ―ｔ１）／ｔａｎｘとなる。
【００６５】
駆動部１６は、算出されたプリズム４２を移動させる距離だけシャフト１６１を動かし、プリズム４２を移動させる。
【００６６】
そして、複数のコイルばね４３がプリズム４１をプリズム４２に押し付け、面接触させる。このようにして、光路長可変部材１７の厚さがＴに変更される。
【００６７】
図６は、カメラシステム１００において、レンズＣＰＵ２１と、アダプタＣＰＵ１３と、ボディＣＰＵ３１とによって実行される、光路長可変部材１７の厚さの制御処理に関するフローチャートである。
【００６８】
図６にフローチャートを示す制御処理は、中間アダプタ１の前マウント面１１に交換用レンズ２が接続され、かつ中間アダプタ１の後マウント面１２にカメラボディ３が接続されたときに実行される。
【００６９】
ステップＳ１０１では、レンズＣＰＵ２１がレンズメモリ２２から第１フランジバック情報を読み出して、読み出した第１フランジバック情報をアダプタＣＰＵ１３へ送信する。
【００７０】
ステップＳ１０２では、レンズＣＰＵ２１により送信された第１フランジバック情報をアダプタＣＰＵ１３が受信する。
【００７１】
ステップＳ１０３では、ステップＳ１０２で受信した第１フランジバック情報と、アダプタメモリ１４から読み出されるマウント間距離情報とを、アダプタＣＰＵ１３がボディＣＰＵ３１へ送信する。
【００７２】
ステップＳ１０４では、アダプタＣＰＵ１３により送信された第１フランジバック情報とマウント間距離情報とを、ボディＣＰＵ３１が受信する。
【００７３】
ステップＳ１０５では、ボディメモリ３２から読みだされた第２フランジバック情報と、ステップＳ１０４で受信した第１フランジバック情報とマウント間距離情報とに基づいて、ボディＣＰＵ３１が光路長可変部材１７の厚さを算出する。
【００７４】
ステップＳ１０６では、ステップＳ１０５で算出した光路長可変部材１７の厚さに関する情報を、ボディＣＰＵ３１がアダプタＣＰＵ１３へ送信する。
【００７５】
ステップＳ１０７では、ボディＣＰＵ３１により送信された光路長可変部材１７の厚さに関する情報をアダプタＣＰＵ１３が受信する。
【００７６】
ステップＳ１０８では、ステップＳ１０７で受信した光路長可変部材１７の厚さに関する情報に基づいて、アダプタＣＰＵ１３が駆動部１６を制御して光路長可変部材１７の光路長を制御する。
【００７７】
ステップＳ１０９では、アダプタＣＰＵ１３は、交換用レンズ取外検出部１５ａおよびカメラボディ取外検出部１５ｂの検出結果に基づいて、中間アダプタ１から交換用レンズ２およびカメラボディ３の少なくとも片方が取り外されたか否かを判定する。光路長可変部材１７の厚さの制御処理は、中間アダプタ１から交換用レンズ２およびカメラボディ３の少なくとも片方が取り外された場合はステップＳ１１０に進み、いずれも取り外されていない場合は、ステップＳ１０９に留まる。
【００７８】
ステップＳ１１０では、アダプタＣＰＵ１３は、駆動部１６を制御して光路長可変部材１７の厚さを予め定められた初期値に戻す（先の例では、ｔ１）。
【００７９】
ステップＳ１１１では、ボディＣＰＵ３１は、ステップＳ１０５で算出した光路長可変部材１７の厚さ及びそれから算出される光路長に基づいて、収差の補正処理を行う。
【００８０】
図６に示す制御処理のうち、レンズＣＰＵ２１が行う処理は、ステップＳ１０１が実行されたら終了する。アダプタＣＰＵ１３が行う処理は、ステップＳ１１０が実行されたら終了する。ボディＣＰＵ３１が行う処理は、ステップＳ１１１が実行されたら終了する。
【００８１】
以上説明した各実施の形態によれば、次の作用効果を奏する。
【００８２】
本発明の一実施の形態である中間アダプタ１は、機械的フランジバックＦＢ１を有する交換用レンズ２を装着する前マウント面１１と、機械的フランジバックＦＢ２を有するカメラボディ３を装着する後マウント面１２と、光路長を変更できる光路長可変部材１７を備える。光路長可変部材１７の厚さは、機械的フランジバックＦＢ１と、機械的フランジバックＦＢ２と、前マウント面１１から後マウント面１２までの光軸方向のマウント間距離ＭＬとに基づいて、ボディＣＰＵ３１により算出され、その結果を受信したアダプタＣＰＵ１３は、駆動部１６を介して光路長可変部材１７の光路長を制御する。これにより、中間アダプタ１は、交換用レンズ２とカメラボディ３を含むカメラシステム１００におけるフランジバックを自動的に調整することができる。
【００８３】
また、本発明の一実施の形態であるカメラシステム１００は、機械的フランジバックＦＢ１を有する交換用レンズ２と、機械的フランジバックＦＢ２を有するカメラボディ３と、交換用レンズ２とカメラボディ３との間に装着される中間アダプタ１とからなっている。中間アダプタ１は、交換用レンズ２を装着する前マウント面１１と、カメラボディ３を装着する後マウント面１２とを備える。そして、中間アダプタ１は、厚さそしてその結果として光路長が可変な光路長可変部材１７を有する。さらに中間アダプタ１は、光路長可変部材１７の厚さを制御するアダプタＣＰＵ１３と駆動部１６とを備えている。また、カメラシステム１００のうちボディＣＰＵ３１は、機械的フランジバックＦＢ１に関する情報と、機械的フランジバックＦＢ２に関する情報と、前マウント面１１から後マウント面１２までの光軸方向のマウント間距離ＭＬに関する情報とに基づいて、光路長可変部材１７の厚さＴを算出する。機械的フランジバックＦＢ１に関する情報は、レンズメモリ２２に記憶されている。前マウント面１１から後マウント面１２までの光軸方向のマウント間距離ＭＬに関する情報は、アダプタメモリ１４に記憶されている。機械的フランジバックＦＢ２に関する情報は、ボディメモリ３２に記憶されている。そして、アダプタＣＰＵ１３は、算出された厚さＴに基づいて、光路長可変部材１７の光路長を駆動部１６を介して制御する。これにより、カメラシステム１００は、交換用レンズ２とカメラボディ３を含むカメラシステム１００におけるフランジバックを自動的に調整することができる。
【００８４】
以上の各実施の形態は、以下のように変形して実施できる。
【００８５】
上記の実施の形態では、光路長可変部材１７は、プリズムの入射面と出射面の間の距離を変化させることによりその光路長を変化させたが、電場の変化に応じて屈折率が変化するような電気光学材料を用いてもよい。この場合、中間アダプタ１は、駆動部１６の代わりに光路長変化用の電流源を有し、ボディＣＰＵ３１から送信される厚さＴに基づいて、電流源から電気光学材料に供給する電流値を決定すればよい。
【００８６】
上記の実施の形態では、光路長可変部材１７の厚さＴをボディＣＰＵ３１が算出したが、アダプタＣＰＵ１３やレンズＣＰＵ２１が算出してもよい。たとえば、アダプタＣＰＵ１３が算出する場合、図６のステップＳ１０３において第１フランジバック情報とマウント間距離情報とをボディＣＰＵ３１へ送信する代わりに、第２フランジバック情報をボディＣＰＵ３１からアダプタＣＰＵ１３へ送信することにすればよい。なお、カメラボディ３に不図示の光学素子がある場合は、その情報についてもボディＣＰＵ３１からアダプタＣＰＵ１３へ送信することが望ましい。また、この場合、アダプタＣＰＵ１３が算出した光路長は、図６のステップＳ１１１の収差補正処理のためにボディＣＰＵ３１へ送信することが望ましい。
【００８７】
上記の実施の形態では、アダプタＣＰＵ１３からボディＣＰＵ３１へ第１フランジバック情報と、マウント間距離情報とを送信したが、これ以外の情報をさらに送信してもよい。たとえば、光路長可変部材１７の屈折率ｎを送信することにしてもよい。
【００８８】
以上で説明した各実施の形態や各種の変形例はあくまで一例であり、発明の特徴が損なわれない限り、本発明はこれらの内容に限定されない。また、各実施の形態や各種の変形例は、発明の特徴が損なわれない限り、任意に組み合わせて実施してもよい。
【符号の説明】
【００８９】
１００  カメラシステム
１  中間アダプタ
２  交換用レンズ
３  カメラボディ
１１  前マウント面
１２  後マウント面
１３  アダプタＣＰＵ
１４  アダプタメモリ
１５ａ  交換用レンズ取外検出部
１５ｂ  カメラボディ取外検出部
１６  駆動部
１７  光路長可変部材
２１  レンズＣＰＵ
２２  レンズメモリ
３１  ボディＣＰＵ
３２  ボディメモリ
４１，４２，１７１，１７２  プリズム
４３  コイルばね
１８ａ、１８ｂ、２３、３３  電気的な接点
【図１】
2012155026.tif 000003
【図２】
2012155026.tif 000004
【図３】
2012155026.tif 000005
【図４】
2012155026.tif 000006
【図５】
2012155026.tif 000007
【図６】
2012155026.tif 000008